(57)【要約】【課題】人体等といった被洗浄物に当てられて振動する洗浄部材の振動の仕方を工夫することにより、被洗浄物を十分きれいに洗浄できる洗浄装置を提供する。【解決手段】ハウジング１６の内部に収容されており回転可能である偏心回転軸２４と、偏心回転軸２４と嵌り合う長穴２７を備えた移動部材２６と、ハウジング１６の外側に設けられており移動部材２６と一体に移動する取付部材１７と、取付部材１７に着脱可能に取付けられた洗浄部材１８と、ハウジング１６と別体に設けられており回転駆動力を発生する動力源と、動力源の回転力を偏心回転軸に伝達すると共に可撓性を備えたワイヤ状の動力伝達体とを有し、洗浄部材１８は被洗浄物に接触させられる洗浄面１８ａを有し、長穴２７は洗浄面１８ａに対して直角方向に長い長穴であり、偏心回転軸２４の回転により移動部材２６がハウジング１６内で洗浄面１８ａと平行方向に往復移動する洗浄装置である。【選択図】図５
2010162155.tif 000002
【特許請求の範囲】
【請求項１】
内部空間を有するハウジングと、
前記ハウジングの内部に収容されており回転可能である偏心回転軸と、
前記ハウジングの内部に収容されており前記偏心回転軸と嵌り合う長穴を備えた移動部材と、
前記ハウジングの外側に設けられており前記移動部材と一体に移動する取付部材と、
前記取付部材に着脱可能に取付けられた洗浄部材と、
前記ハウジングと別体に設けられており回転駆動力を発生する動力源と、
前記動力源の回転力を前記偏心回転軸に伝達すると共に可撓性を備えたワイヤ状の動力伝達体と、を有し、
前記洗浄部材は被洗浄物に接触させられる洗浄面を有し、前記長穴は前記洗浄面に対して直角方向に長い長穴であり、前記偏心回転軸の回転により前記移動部材が前記ハウジング内で前記洗浄面と平行方向に往復移動する
ことを特徴とする洗浄装置。
【請求項２】
請求項１記載の洗浄装置において、
前記取付部材と反対側の前記ハウジングの面に把持部材が設けられており、
前記把持部材は、前記ハウジングへ接合した接合部と、該接合部から延びた把持部と、該把持部の先端に設けられており前記把持部の断面の径よりも大きい径を有する大径部とを有し、
前記把持部は作業者の隣接する２つの指で挟むことができる幅を有し、
前記把持部と前記大径部との間は曲面状に広がっている
ことを特徴とする洗浄装置。
【請求項３】
請求項１記載の洗浄装置において、前記取付部材に対向している前記ハウジングの面の一方向の長さをＬ、それに直交する方向の長さをＷ、そして前記ハウジングの高さをＨとするとき、
７０ｍｍ≦Ｌ≦９０ｍｍ、  ５０ｍｍ≦Ｗ≦７０ｍｍ、  ３０ｍｍ≦Ｈ≦５０ｍｍ
である
ことを特徴とする洗浄装置。
【請求項４】
請求項１から請求項３のいずれか１つに記載の洗浄装置において、
前記取付部材は平面視でハウジングよりも面積の広い平板形状を有し、
前記洗浄部材はタオル地によって形成された袋状の部材であり、
該洗浄部材が前記平板形状の取付部材を被覆するように装着される
ことを特徴とする洗浄装置。
【発明の詳細な説明】
【技術分野】
【０００１】
本発明は、人体、生活設備、生活用具等といった被洗浄物を洗浄するための洗浄装置に関する。
【背景技術】
【０００２】
日常生活において人体、生活設備、生活用具等を洗浄する必要が生じることがある。生活設備とは、生活をする上で必要となる各種の又はあらゆる設備であって、例えば、浴槽、浴槽の床、部屋の床、畳、壁等である。生活用具とは、生活をする上で必要となる各種の又はあらゆる用具であって、例えば、調理器、食器、置物等である。
【０００３】
従来、上記洗浄装置の１つとして、例えば特許文献１に開示されたボディウォッシャーが知られている。このボディウォッシャーは把持柄を有しており、その把持柄の一端に垢すりパット及びその駆動部が設けられ、他端にグリップ部が設けられている。垢すりパットは、駆動部によって駆動されて把持柄の延在方向と直角な軸線を中心として回転する。ボディ（人体）を洗浄する際には、人が把持柄を手に持って洗浄したい個所に垢すりパットを当て、その垢すりパットを回転させる。この回転により、人体が洗浄される。
【０００４】
上記洗浄装置の他の１つとして、例えば特許文献２に開示された養護装置が知られている。この養護装置は、主婦、被労者、高齢者等の安全性を確保した上で、それらの者の体力消耗をできるだけ低減させながら、浴室のタイル目地等を効率良く洗浄するものである。この養護装置は、被洗浄物に当てられる細長片と、その細長片を往復振動させる駆動材と、人が手で把持するハンドルとを有している。洗浄に際しては、人がハンドルを持ち、洗浄したい所に細長片を当て、さらにその細長片を往復振動させることにより、被洗浄物を効率良く洗浄する。
【先行技術文献】
【特許文献】
【０００５】
【特許文献１】特開２００５−０４６５７２号公報（第４頁、図１）
【特許文献２】特開２００５−１６１００４号公報（第２〜３頁、図１）
【発明の概要】
【発明が解決しようとする課題】
【０００６】
特許文献１に開示された洗浄装置においては、垢すりパットが把持柄と直角な軸線を中心として回転する構成、すなわち平面的に回転する構成となっており、被洗浄物はそのように回転する垢すりパットによって洗浄される。このように単に回転する垢すりパットによる洗浄では、被洗浄物を十分きれいに洗浄することができなかった。また、単に回転するパットを人体に押し当てるだけでは、人体に対して十分なマッサージ効果を付与することが出来なかった。
【０００７】
さらに、単に平面回転する垢すりパットを用いた場合は、垢すりパットに発生する遠心力の作用によりその垢すりパットに含ませた洗剤が飛散するので、垢すりパットの回転速度を速くすることができず、そのため、高い洗浄力を得ることができなかった。
【０００８】
特許文献２に開示された洗浄装置においては、細長片を被洗浄物に当接させ、さらにその細長片を往復振動させることにより、洗浄を行っている。しなしながら、細長片から被洗浄物へ付与される往復振動がどのような振動であるかについては詳しい説明がなされていない。被洗浄物に付与される振動の種類によっては、被洗浄物を十分きれいに洗浄することができないと思われる。また、被洗浄物に付与される振動の種類によっては、人体に対して十分なマッサージ効果を付与することが出来ないと思われる。
【０００９】
本願発明は、従来の洗浄装置における上記の問題点に鑑みて成されたものであって、人体、生活設備、生活用具等といった被洗浄物に当てられて振動する洗浄部材の振動の仕方を工夫することにより、被洗浄物を十分きれいに洗浄できる洗浄装置を提供することを目的とする。
また、本願発明は、人体を被洗浄物とする場合に、その人体に好適なマッサージ効果を付与することができる洗浄装置を提供することを他の目的とする。
【課題を解決するための手段】
【００１０】
本発明に係る洗浄装置は、内部空間を有するハウジングと、前記ハウジングの内部に収容されており回転可能である偏心回転軸と、前記ハウジングの内部に収容されており前記偏心回転軸と嵌り合う長穴を備えた移動部材と、前記ハウジングの外側に設けられており前記移動部材と一体に移動する取付部材と、前記取付部材に着脱可能に取付けられた洗浄部材と、前記ハウジングと別体に設けられており回転駆動力を発生する動力源と、前記動力源の回転力を前記偏心回転軸に伝達すると共に可撓性を備えたワイヤ状の動力伝達体とを有し、前記洗浄部材は被洗浄物に接触させられる洗浄面を有し、前記長穴は前記洗浄面に対して直角方向に長い長穴であり、前記偏心回転軸の回転により前記移動部材が前記ハウジング内で前記洗浄面と平行方向に往復移動することを特徴とする。
【００１１】
洗浄部材に単なる回転だけを行わせる従来の洗浄装置では、洗浄部材に含ませた洗剤が遠心力によって飛散してしまうので、洗浄部材の回転速度をあまり速くできない。そのため高い洗浄力を得ることができなかった。これに対し、本発明によれば、洗浄部材が被洗浄物に対して平行な横方向へ直線的に往復平行移動することにより洗浄を行うので、移動速度を高くしても洗剤の飛散が少ない。そのため、従来のように単なる回転を行うだけの場合に比べて洗浄力が高くなる。
【００１２】
また、偏心回転軸とそれに嵌り合う長穴とから成る非常に簡単で壊れ難い構造によって洗浄部材の往復平行移動を実現しているので、乱雑な取扱いが行われても損傷することのない、安定した構造を提供できる。また、複雑な機構でないので、水が多量に存在する環境下に置かれて、水垢、埃、カビ等が付着したとしても動作に支障が出ることを防止できる。
【００１３】
また、偏心回転軸とそれに嵌り合う長穴とから成る構成は小型に形成できる。しかも、本発明では操作部を構成するハウジングと動力源とが別体であって、ハウジングの中に動力源を設ける必要がないので、ハウジングをより一層小型にできる。それらのため、ハウジングを人が持ち易い形状に容易に形成できる。
【００１４】
さらに、駆動機構を偏心回転軸とそれに嵌合する長穴とによって構成したので、ハウジングを持ち上げれば、偏心回転軸の上面が長穴の上端内周面に当接する状態になり、従って移動部材が偏心回転軸に懸垂してぶら下がる状態となる。この状態になると、ハウジングの下端と取付部材との間に隙間が生じる。この隙間からハウジングの内部へ水等といった液体を注ぎこみながら偏心回転軸を回転させれば、回転で発生した液体の渦流でハウジングの内部にある駆動機構を容易に且つ綺麗に洗浄できる。また、水等といった液体の中にハウジングを浸け偏心回転軸を回転させることによっても、駆動機構内に液体の渦流が発生し綺麗に洗浄できる効果が得られる。これにより、ハウジングの内部を常に清潔に保持できる。
【００１５】
本発明に係る洗浄装置は、浴場の洗い場で人体を洗う場合に使用できる。この場合には、人が操作部を手に持って自身又は他人の人体の目標部位に洗浄部材を軽く押し当てるか、あるいは操作部を軽い押圧力で人体に載せる。すると、人体表面に対して往復で横移動する洗浄部材によって人体表面を効果的に清浄できる。このとき、偏心回転軸の偏心回転に起因して人体には、単なる洗浄部材の横移動に応じた振動だけではなく、横方向に交わる方向への振動も併せて与えられる。しかも、この交わる方向への振動は、偏心回転軸の回転に応じてその振動方向が変化する振動であるので、洗浄作用に加えて好適なマッサージ効果を人体に与えることができる。
【００１６】
次に、本発明に係る洗浄装置において、前記取付部材と反対側の前記ハウジングの面に把持部材が設けられており、前記把持部材は、前記ハウジングへ接合した接合部と、該接合部から延びた把持部と、該把持部の先端に設けられており前記把持部の断面の径よりも大きい径を有する大径部とを有し、前記把持部は作業者の隣接する２つの指で挟むことができる幅を有し、前記把持部と前記大径部との間は曲面状に広がっていることが望ましい。指で挟むことができる幅とは、例えば、１０ｍｍ〜３０ｍｍ程度である。
【００１７】
この構成によれば、作業者は自身の指によって把持部を挟んで本洗浄装置を容易に支持できる。そして、人体等といった被洗浄物に軽い押圧力で洗浄部材を当接させることができる。しかも、把持部の先端には大径部が設けられているので、洗浄装置が作業者の手から滑り落ちることが無い。さらに、把持部と大径部との間は曲面状につながっているので、作業者の指にフィット、すなわちなじみ易く、作業性が非常に良好である。
【００１８】
次に、本願発明に係る洗浄装置において、前記取付部材に対向している前記ハウジングの面の一方向の長さをＬ、それに直交する方向の長さをＷ、そして前記ハウジングの高さをＨとするとき、
７０ｍｍ≦Ｌ≦９０ｍｍ、  ５０ｍｍ≦Ｗ≦７０ｍｍ、  ３０ｍｍ≦Ｈ≦５０ｍｍ
であることが望ましい。この大きさにより、人は洗浄装置を難なく手で持つことができる。また、本願発明の洗浄装置は、偏心回転軸と長穴との組合わせにより、洗浄部材を往復横移動させるという非常に簡単な構成に基づいているので、上記のように小さなハウジングの中にも十分に納まるものである。
【００１９】
次に、本願発明に係る洗浄装置において、前記取付部材は平面視でハウジングよりも面積の広い平板形状を有し、前記洗浄部材はタオル地によって形成された袋状の部材であり、該洗浄部材が前記平板形状の取付部材を被覆するように装着されることを特徴とする。この構成によれば、人が自分又は他人の身体を洗浄する際の作業性が高められ、洗浄効率も高められる。
【発明の効果】
【００２０】
本発明によれば、洗浄部材が被洗浄物に対して平行な横方向へ直線的に往復平行移動することにより洗浄を行うので、従来のように単なる回転を行うだけの場合に比べて洗浄力が高くなる。
また、偏心回転軸とそれに嵌り合う長穴とから成る非常に簡単で壊れ難い構造によって洗浄部材の往復平行移動を実現しているので、乱雑な取扱いが行われても損傷することのない、安定した構造を提供できる。
【００２１】
また、複雑な機構でないので、水が多量に存在する環境下に置かれて、水垢、埃、カビ等が付着したとしても動作に支障が出ることを防止できる。
また、偏心回転軸とそれに嵌り合う長穴とから成る構成は小型に形成できる上、ハウジングを上に持ち上げたときにハウジングの下に隙間を形成でき、その結果、ハウジングの内部の清掃を楽に行える。
【００２２】
しかも、本発明では操作部を構成するハウジングと動力源とが別体であって、ハウジングの中に動力源を設ける必要がないので、ハウジングをより一層小型にできる。それらのため、ハウジングを人が持ち易い形状に容易に形成できる。
【００２３】
さらに、駆動機構を偏心回転軸とそれに嵌合する長穴とによって構成したので、ハウジングを持ち上げれば、偏心回転軸の上面が長穴の上端内周面に当接する状態になり、従って移動部材が偏心回転軸に懸垂してぶら下がる状態となる。この状態になると、ハウジングの下端と取付部材との間に隙間が生じる。この隙間からハウジングの内部へ水等といった液体を注ぎこみながら偏心回転軸を回転させれば、回転で発生した液体の渦流でハウジングの内部にある駆動機構を容易に且つ綺麗に洗浄できる。また、水等といった液体の中にハウジングを浸け偏心回転軸を回転させることによっても、駆動機構内に液体の渦流が発生し綺麗に洗浄できる効果が得られる。これにより、ハウジングの内部を常に清潔に保持できる。
【図面の簡単な説明】
【００２４】
【図１】本願発明に係る洗浄装置の一実施形態を示す斜視図である。
【図２】図１の実施形態の主要部である操作部の縦断面図である。
【図３】図２の操作部の平面断面図である。
【図４】本願発明に係る洗浄装置の主要部である動力伝達体の連結部分を示す断面図である。
【図５】本願発明に係る洗浄装置の主要機構である偏心回転軸と移動部材との動きを示す図である。
【図６】図５に示す構造の動きに引き続いた動きを示す図である。
【図７】本発明に係る洗浄装置の構成要素である操作部の使用例を示す図である。
【図８】本発明に係る洗浄装置の構成要素である操作部の変形例を示す断面図である。
【発明を実施するための形態】
【００２５】
（第１実施形態）
以下、本発明に係る洗浄装置を実施形態に基づいて説明する。なお、本発明がこの実施形態に限定されないことはもちろんである。また、これ以降の説明では図面を参照するが、その図面では特徴的な部分を分かり易く示すために実際のものとは異なった比率で構成要素を示す場合がある。
【００２６】
図１は、本願発明に係る洗浄装置の一実施形態を示している。図２は図１におけるＡ−Ａ線に従った縦断面図である。図３は図１におけるＢ−Ｂ線に従った平面断面図である。図４は図１において矢印Ｃで示す部分の拡大断面図である。
【００２７】
本実施形態の洗浄装置は、例えば、浴室内の洗い場で人が自分自身や他人の身体を洗浄、すなわち洗ったり、人が浴室の洗い場のタイル及びタイル目地を洗浄したりすることに使われるものとする。すなわち、本実施形態の洗浄装置の洗浄対象である被洗浄物は、主に、人体、タイル、タイル目地等である。
【００２８】
図１において、本実施形態に係る洗浄装置１は動力部２と操作部３とを有している。動力部２と操作部３はワイヤ状の動力伝達体４によって連結されている。動力部２はベース６及びそれに組み付けられた直方体形状のカバー７を有している。カバー７の内部のベース６上に電動モータ８が設けられている。電動モータ８にはバッテリ９が付設されており、バッテリ９からの給電によりモータ８の出力軸が回転する。モータ８は直流、交流のどちらでも良い。モータ８の回転数制御は、例えば、周波数制御によって行われる。
【００２９】
カバー９の側面にはスイッチ１１及びツマミ１２が設けられている。スイッチ１１はモータ８とバッテリ９との間に形成された給電回路中に設けられている。スイッチ１１のオン／オフにより、バッテリ９からモータ８へ給電を行ってモータ出力軸を回転させることと、バッテリ９からモータ８への給電を遮断してモータ出力軸の回転を停止させること、を切り換えることが出来る。
【００３０】
ツマミ１２はモータ８の回転軸の回転速度を変化させるためのツマミである。例えば、ツマミ１２の角度位置を変更することにより、バッテリ９からモータ８への給電量を変化させ、これによりモータ出力軸の回転速度を変化させることが出来る。可変の範囲は、例えば、５００ｒｐｍ〜３０００ｒｐｍに設定する。このような回転速度の変化により、洗浄力の強弱を調節できる。
【００３１】
カバー７の下端部にコンセント１３が設けられている。コンセント１３はバッテリ９の入力端子と電気的につながっている。例えば１００Ｖ（ボルト）の商用電源をこのコンセント１３へつなげることにより、バッテリ９を充電することができる。カバー７の上面にハンドル１４が設けられている。人はこのハンドル１４を持って動力部２を任意の位置へ持ち運ぶことが出来る。
【００３２】
ベース６及びカバー７はそれぞれ防水構造、すなわち水等といった液体を内部へ侵入させない構造となっている。この防水構造は、例えば、ベース６及びカバー７をプラスチックによる成型加工によって作ることによって達成できる。また、ベース６とカバー７との結合部分も防水構造となっている。この防水構造は、例えば、両者の間にシール部材を介在させることによって達成できる。
【００３３】
次に、操作部３は、ハウジング１６と、ハウジング１６に取付けられた取付部材１７と、取付部材１７に装着された洗浄部材１８とを有している。人体等といった被洗浄物は洗浄部材１８によって擦られて洗浄される。ハウジング１６の上面には把持部材１９が設けられている。
【００３４】
ハウジング１６は、天井部が断面円形状であり一方向に長い筒形状、すなわちドーム形状、あるいは、かまぼこ形状に形成されている。ハウジング１６はプラスチックの一体成型によって形成されており、図２及び図３に示すようにハウジング１６の一端部２１はそのプラスチック成型の際にハウジング１６の他の部分と同時に形成される。また、ハウジング１６において端部２１に対向する端部２２は開口となっている。そして、この端部２２に蓋部材２３が固着されることにより、開口２２がふさがれている。
【００３５】
把持部材１９は、図２において、ハウジング１６へ接合されている部分である接合部１９ａと、接合部１９ａから延びた把持部１９ｂと、把持部１９ｂの先端（図の上端）に設けられた大径部１９ｃとを有している。大径部１９ｃは把持部１９ｂの平面断面の径よりも大きい径を有している。把持部１９ｂは作業者の隣接する２つの指（例えば、人差し指と中指、中指と薬指等）で挟むことができる幅を有している。把持部１９ｂと大径部１９ｃとの間は矢印Ｇで示すように曲面状に広がっている。
【００３６】
把持部１９に関する上記の構成により、作業者は自身の指によって把持部１９ｂを挟んで操作部３を容易に支持できる。そして、人体等といった被洗浄物に軽い押圧力で洗浄部材１８を当接させることができる。しかも、把持部１９ｂの先端には大径部１９ｃが設けられているので、操作部３が作業者の手から滑り落ちることが無い。さらに、把持部１９ｂと大径部１９ｃとの間は曲面状（矢印Ｇ）につながっているので、作業者の指にフィット、すなわち、なじみ易く、作業性が非常に良好である。
【００３７】
ハウジング端部２１及び蓋部材２３には貫通穴が形成されており、それらの穴によって偏心回転軸２４が回転可能に支持されている。偏心回転軸２４は中心軸２４ａとそれに固着された偏心円柱２４ｂとによって形成されている。偏心円柱２４ｂを中心軸２４ａに固着したとき、偏心円柱２４ｂの中心軸線と中心軸２４ａの中心軸線は不一致の状態にあり、これにより、偏心回転軸２４が構成されている。つまり、偏心回転軸２４の回転部分全体の中心軸線と中心軸２４ａの中心軸線（すなわち、偏心回転軸２４の回転軸線）とは互いにずれている関係にある。
【００３８】
偏心回転軸２４、すなわち中心軸２４ａ及び偏心円柱２４ｂは、例えばステンレス鋼によって形成されている。偏心円柱２４ｂは、例えばプラスチックによって形成しても良い。
【００３９】
偏心円柱２４ｂの軸方向（図２の左右方向）の長さは、当該偏心円柱２４ｂの直径Ｄよりも長く設定されている。偏心円柱２４ｂの軸方向偏心円柱２４ｂは、ハウジング１６の一端部２１から他端部である蓋部材２３の間の空間内の略全域にわたって設けられている。しかしながら、例えば図８に示すように、中心軸２４ａの軸上であってハウジング１６の一端部２１に近い所及び蓋部材２３に近い所の少なくとも２個所に偏心円板２４ｃ，２４ｃ（すなわち偏心円柱２４ｂの短いもの）を設け、それらの偏心円板２４ｃの間を空間としておいても良い。
【００４０】
中心軸２４ａと偏心円柱２４ｂとは互いに別体のものを接着剤、ボルト等によって結合させても良いし、あるいは、プラスチックの一体成型によって一体に形成しても良い。符号２５，２５は軸受メタルである。軸受メタル２５は、例えば、内周面が滑らかである金属、プラスチック等によって形成されている。符号２０は取付用スリーブである。取付用スリーブ２０は、例えば、鉄、ステンレス等といった金属によって形成されている。偏心回転軸２４は軸受メタル２５によって中心軸２４ａを中心として回転自在に支持されている。動力伝達体４は取付用スリーブ２０の先端に固定される。
【００４１】
図５（ａ）は図２における矢印Ｆに従って蓋部材２３の図示を省略してハウジング１６の内部を見た状態を示している。図５（ａ）から分かるように、ハウジング１６の内部に移動部材２６が設けられている。移動部材２６は、ハウジング１６と同様の断面形状を有したドーム形状又はかまぼこ形状に形成されている。移動部材２６には当該移動部材２６を紙面貫通方向に貫通する長穴２７が設けられており、この長穴２７が偏心回転軸２４に嵌り合うことにより、移動部材２６がハウジング１６の内部において偏心回転軸２４に支持された状態で配置されている。
【００４２】
移動部材２６の下端に取付部材１７が固着されている。本実施形態では、取付部材１７が上段の小面積部分と下段の大面積部分との２段構造となっているが、単なる１枚板構造であっても良い。取付部材１７は図１から分かるように略長方形状の板部材によって形成されている。取付部材１７の４つの角部は比較的大きな円弧形状に形成されている。被洗浄物を洗浄するための洗浄部材１８は取付部材１７を略密着状態で覆うようにして当該取付部材１７に装着されている。洗浄部材１８は、水のような液体を吸収保有できるタオル地又はスポンジによって平たい袋状に形成されており、袋の開口部を取付部材１７に嵌め込むことにより取付部材１７の上面及び下面の表面略全域にわたって装着されている。
【００４３】
タオル地等の形状を長期間にわたって一定に保持するために、そのタオル地の外周面全域を網状部材によって包み込んで形状保持するようにしても良い。また、開口部の周囲にゴム等の弾性部材を設けておけば、その弾性部材の弾性力により、洗浄部材１８の取付部材１７への密着性を高めることができる。図１において洗浄部材１８の底面が被洗浄物を洗浄するための洗浄面であり、この洗浄面は図５（ａ）において符号１８ａで示されている。
【００４４】
移動部材２６に設けられた長穴２７の長手方向は取付部材１７の延在方向、すなわち洗浄部材１８の洗浄面１８ａの延在方向、に対して直角方向、すなわち図５（ａ）の上下方向に設定されている。また、長穴２７の短手方向（図５（ａ）の左右方向）の長さ、すなわち長穴２７の左右方向の幅は、偏心回転軸２４の偏心円柱２４ｂの直径Ｄよりもわずかに広くなっている。
【００４５】
この構成により、人が把持部材１９を手で持って洗浄部材１８を人体等といった被洗浄物に押し付け、さらに偏心回転軸２４を矢印Ｅのように中心軸２４ａを中心として回転させると、移動部材２６は偏心円柱２４ｂの回転に応じて、図５（ａ）、図５（ｂ）、図６（ｃ）、図６（ｄ）に示す順番で、ハウジング１６の内部空間内において左右方向へ往復移動する。そして、移動部材２６の下端に固着された取付部材１７及びそれに装着された洗浄部材１８は、ハウジング１６の下方位置において左右横方向へ往復直線移動する。
【００４６】
このとき、上下方向に空けられた長穴２７の作用により、移動部材２６の上下方向の動きは少ないものとなっている。なお、偏心回転軸２４が振り子の役割を果たして振動を発生させ、人体に対して好適なマッサージ効果をもたらすことができる。振動の強さは偏心回転軸２４の重さ及び回転数に比例する。
【００４７】
もちろん、モータ８（図１参照）の出力軸の回転方向が逆であれば、洗浄部材１８等の往復移動方向も逆になる。本実施形態では、偏心回転軸２４の回転中心軸線からの偏心寸法を３ｍｍとしており、中心軸２４ａを回転させたときの取付部材１７の往復移動の振幅は６ｍｍ（３ｍｍ×２）となる。但し、偏心寸法を変更することにより、洗浄幅（すなわち洗浄部材によって擦る幅）を希望に応じて調節できる。
【００４８】
図１において、動力部２と操作部３とを結ぶワイヤ状の動力伝達体４は、図２及び図４に示すように、金属製又はプラスチック製の中実の線状部材である動力伝達ワイヤ３１と、それを被覆した金属製又はプラスチック製のチューブ３２とを有している。図２において、動力伝達ワイヤ３１の操作部３側の先端には先端具３３が設けられ、チューブ３２の先端には連結具３４が設けられている。先端具３３の先端が偏心回転軸２４の先端に設けられた溝に差し込まれ、さらにナット３６によって連結具３４がスリーブ２０にネジ締めによって固定されている。ナット３６は、例えば金属によって形成されている。
【００４９】
図４において、動力伝達ワイヤ３１の動力部２側の先端には六角軸である先端具３７が設けられている。モータ８の出力軸の先端には六角穴付きカプラ３８が設けられている。先端具３７をカプラ３８の中に差し込むことにより、カプラ３８の内部構造がワイヤ３１の先端、従って動力伝達体４の先端を把持するようになっている。
【００５０】
動力伝達ワイヤ３１及びチューブ３２は可撓性、すなわち自由に曲がる性質、を有すると共に、そのように任意に曲がった状態でモータ８（図１）の出力軸の回転に応じて、ワイヤそれ自身の中心軸線を中心として回転できる。このワイヤ３１の作用により、操作部３を動力部２に対して任意の位置に持ち運んだ場合でも、ワイヤ３１の回転により操作部３内の偏心回転軸２４を回転させることができ、それ故、動力部２を１つの位置に配置させたときに、動力伝達体４につながった操作部３が届く領域内にある任意の被洗浄物を、往復移動する洗浄部材１８で擦ることによって清浄できる。
【００５１】
動力伝達体４の長さは何を洗浄するかに応じて種々に設定される。本実施形態では、浴室内で人体、タイル、タイル目地等を洗浄することが目的であるので、動力伝達体４の長さは１２０ｃｍ程度が望ましい。
【００５２】
以下、本実施形態の洗浄装置の使用方法の一例を説明する。図１において、コンセント１３を介して商用電源からバッテリ９へ給電を行ってバッテリ９を充電する。その後、浴室内へ動力部２及び操作部３を持ち込んで、動力部２を浴室内の適所に置く。洗浄処理を行うときには動力部２のカバー７にあるスイッチ１１をオン状態にしてモータ８を作動させる。
【００５３】
浴室内のタイル、タイル目地等を洗浄する場合には、作業者が把持部材１９を手に持って操作部３を目標の場所へ運び、洗浄部材１８の洗浄面１８ａ（図５（ａ）参照）をその目標場所に当て、さらに軽く押し付ける。あるいは、作業者は操作部３をタイル等へ、押し付けるのではなく、単に載せる程度であっても良い。モータ８（図１）が作動中である場合、操作部３の洗浄部材１８は図５（ａ）〜図６（ｄ）に示したように、偏心円柱２４ｂの回転中心からの偏心量に応じた移動距離で左右の横方向へ往復平行移動を行うので、タイル等は当該タイル等に対して横方向へ往復移動する洗浄部材１８によって適宜の押圧力下で繰り返して擦られて清浄される。必要に応じて、洗浄部材１８に洗浄剤が含ませられ、これにより、洗浄力を高めることができる。
【００５４】
本実施形態では、洗浄部材１８が被洗浄物に対して平行な横方向へ直線的に往復平行移動することにより洗浄を行うので、従来のように単なる回転を行うだけの場合に比べて洗浄力が高くなる。具体的には、単なる回転だけの場合では洗浄部材１８に含ませた洗剤が遠心力の作用によって飛散することから、回転速度をあまり高く設定することができないので、高い洗浄力を得ることができないが、洗浄部材１８を往復横方向移動させる場合には洗剤の飛散が発生し難いので移動速度を高速に設定することができ、それ故、高い洗浄力を得ることができるものである。
【００５５】
また、偏心回転軸２４とそれに嵌り合う長穴２７（図５（ａ）参照）とから成る非常に簡単で壊れ難い構造によって洗浄部材１８の往復平行移動を実現しているので、乱雑な取扱いが行われても損傷することのない、安定した構造を提供できる。また、複雑な機構でないので、水が多量に存在する環境下に置かれて、水垢、埃、カビ等が付着したとしても動作に支障が出ることを防止できる。
【００５６】
本実施形態の洗浄装置は、浴場の洗い場で人体を洗う場合に使用できる。具体的には、モータ８（図１）を作動させながら、人が操作部３を手に持って自身又は他人の人体の目標部位に洗浄部材１８を押し当てる。すると、人体表面に対して往復で横移動する洗浄部材１８によって人体表面を効果的に清浄できる。このとき、偏心回転軸２４の偏心回転に起因して人体には、単なる洗浄部材１８の横移動に応じた振動だけではなく、横方向に交わる方向への振動も併せて与えられる。しかも、この交わる方向への振動は、偏心回転軸２４の回転に応じてその振動方向が変化する振動であるので、洗浄作用に加えて好適なマッサージ効果を人体に与えることができる。
【００５７】
ハウジング１６は人が手に持つことができる大きさであることが望ましい。そのため、図１において、ハウジング１６における取付部材１７に対向する面の一方向の長さをＬ、それに直交する方向の長さをＷ、そしてハウジング１６の高さをＨとするとき、
７０ｍｍ≦Ｌ≦９０ｍｍ、  ５０ｍｍ≦Ｗ≦７０ｍｍ、  ３０ｍｍ≦Ｈ≦５０ｍｍ
であることが望ましい。
【００５８】
洗浄部材１８が装着される取付部材１７は、人が持つ部分であるハウジング１６よりも面積の広い平板形状の部材であることが望ましい。こうすれば、取付部材１７への洗浄部材１８の装着作業が楽になるし、被洗浄物に対する洗浄作業の際の洗浄面を広くすることができるからである。
【００５９】
図７において、作業者が把持部１９を矢印Ｈで示すように上方へ持ち上げると、偏心回転軸２４の上面が長穴２７の上端内周面に当接する状態になり、従って移動部材２６が偏心回転軸２４に懸垂してぶら下がる状態となる。この状態になると、ハウジング１６の下端と取付部材１７との間に隙間Ｊが生じる。この隙間Ｊからハウジング１６の内部へ水等といった液体を注ぎこみながら偏心回転軸を回転させれば、回転で発生した液体の渦流でハウジングの内部にある駆動機構を容易に且つ綺麗に洗浄できる。また、水等といった液体の中にハウジングを浸け偏心回転軸を回転させることによっても、駆動機構内に液体の渦流が発生し綺麗に洗浄できる効果が得られる。これにより、ハウジング１６の内部を常に清潔に保持できる。
【００６０】
（変形例１）
上記実施形態では、タオル地又はスポンジ等といった吸水保有可能部材を平たい袋状に形成して成る洗浄部材を取付部材を覆うようにして取付けた。これに代えて、いわゆる面状ファスナ、すなわち、多数の引っ掛り部材を対象物の一方に面状に配置し、多数の被引っ掛り部材を対象物の他方に面状に配置して成るファスナを用いる方法を採用しても良い。具体的には、洗浄部材として袋状では無い板状のタオル地等を用意し、面状ファスナの一方を取付部材及び洗浄部材の一方に縫い付け、接着その他の手法によって固着し、面状ファスナの他方を取付部材及び洗浄部材の他方に固着し、面状ファスナの一方と他方との接合により洗浄部材を取付部材に取付ける。
【００６１】
（第２実施形態）
次のような用途、洗浄部材、装着方法の組合せがある。
１．用途：人体の洗浄
２．洗浄部材：綿タオル、ナイロンタオル、又はポリエステルタオル
３．装着方法：
（１）タオルを袋状に形成し、開口部を形成し、開口部の周縁にゴムを取り付ける。開口部のゴムを開きながら洗浄部材を取付部材にはめ込み、ゴムの弾性復帰力によって取付部材と洗浄部材との密着性を確保する。
（２）袋状で無い１枚のタオルにゴムバンドを付け、それを取付部材に嵌め込んでタオルを取付部材に装着する。又は
（３）面状ファスナの一方をタオル及び取付部材の一方に貼付け、面状ファスナの他方をタオル及び取付部材の他方に貼付け、面状ファスナの両方を互いに接合することによりタオルを取付部材に装着する。
【００６２】
（第３実施形態）
次のような用途、洗浄部材、装着方法の組合せがある。
１．用途：浴槽の内部及び外部の洗浄
２．洗浄部材：ナイロン織布、ポリエステル織布
（なお、ナイロン織布とはナイロン繊維で織った布、ポリエステル織布とはポリエステル繊維で織った布である。）
３．装着方法：
（１）面状ファスナの一方を洗浄部材及び取付部材の一方に貼付け、面状ファスナの他方を洗浄部材及び取付部材の他方に貼付け、面状ファスナの両方を互いに接合することにより洗浄部材を取付部材に装着する。又は、
（２）織布にゴムバンドを付け、それを取付部材に嵌め込んで織布を取付部材に装着する。
【００６３】
（第４実施形態）
次のような用途、洗浄部材、装着方法の組合せがある。
１．用途：タイルの壁及び床の洗浄
２．洗浄部材：ナイロン製ブラシ、ポリエステル製ブラシ、ナイロン織布、ポリエステル織布
３．装着方法：
（１）面状ファスナの一方を洗浄部材及び取付部材の一方に貼付け、面状ファスナの他方を洗浄部材及び取付部材の他方に貼付け、面状ファスナの両方を互いに接合することにより洗浄部材を取付部材に装着する。又は、
（２）織布にゴムバンドを付け、それを取付部材に嵌め込んで織布を取付部材に装着する。
【００６４】
（第５実施形態）
次のような用途、洗浄部材、装着方法の組合せがある。
１．用途：台所用品（鍋等）の磨き洗浄
２．洗浄部材：鉄、ステンレス磨き部材、紙やすり、研磨剤混入織布
３．装着方法：
（１）面状ファスナの一方を洗浄部材及び取付部材の一方に貼付け、面状ファスナの他方を洗浄部材及び取付部材の他方に貼付け、面状ファスナの両方を互いに接合することにより洗浄部材を取付部材に装着する。又は、
（２）面状ファスナを構成する一対の面状部材のうちのいずれかを洗浄装置の取付部材に貼付け、磨き材をその面状部材に直接に貼り付けて装着する。
【００６５】
（第６実施形態）
次のような用途、洗浄部材、装着方法の組合せがある。
１．用途：床（フローリング、畳）の磨き洗浄
２．洗浄部材：住宅用掃除シート（ポリエステル）、フローリング磨き材（ポリエステル等）
３．装着方法：
（１）面状ファスナの一方を洗浄部材及び取付部材の一方に貼付け、面状ファスナの他方を洗浄部材及び取付部材の他方に貼付け、面状ファスナの両方を互いに接合することにより洗浄部材を取付部材に装着する。又は、
（２）面状ファスナを構成する一対の面状部材のうちのいずれかを洗浄装置の取付部材に貼付け、磨き材をその面状部材に直接に貼り付けて装着する。
【００６６】
以上、好ましい実施形態を挙げて本発明を説明したが、本発明はその実施形態に限定されるものでなく、請求の範囲に記載した発明の範囲内で種々に改変できる。
例えば、上記実施形態では動力伝達ワイヤをチューブで包囲することによって動力伝達体を構成したが、動力伝達体はこれ以外の任意の構成とすることができる。また、動力伝達体を動力部や操作部に連結させるための構造も上記実施形態の構造に限られない。
本発明の洗浄装置は、以上に記載した洗浄対象の他に、ペット等といった動物の洗浄、台所用品（例えば、鍋、釜等）の洗浄、工業製品の洗浄等に用いることができる。
【符号の説明】
【００６７】
１．洗浄装置、  ２．動力部（動力源）、  ３．操作部、  ４．動力伝達体、
６．ベース、  ７．カバー、  ８．電動モータ（動力源）、  ９．バッテリ、
１１．スイッチ、  １２．ツマミ、  １３．コンセント、  １４．ハンドル、
１６．ハウジング、  １７．取付部材、  １８．洗浄部材、  １９．把持部材、
２０．取付用スリーブ、  ２１．端部、  ２２．端部開口、  ２３．蓋部材、
２４．偏心回転軸、  ２４ａ．中心軸、  ２４ｂ．偏心円柱、  ２５．軸受メタル、
２６．移動部材、  ２７．長穴、  ２８．取付部材、  ３１．動力伝達ワイヤ、
３２．チューブ、  ３３．先端具、  ３４．連結具、  ３６．ナット、  ３７．先端具、  ３８．六角穴付きカプラ
【図１】
2010162155.tif 000003
【図２】
2010162155.tif 000004
【図３】
2010162155.tif 000005
【図４】
2010162155.tif 000006
【図５】
2010162155.tif 000007
【図６】
2010162155.tif 000008
【図７】
2010162155.tif 000009
【図８】
2010162155.tif 000010
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
内部空間を有するハウジングと、
前記ハウジングの内部に収容されており回転可能である偏心回転軸と、
前記ハウジングの内部に収容されており前記偏心回転軸と嵌り合う長穴を備えた移動部材と、
前記ハウジングの外側に設けられており前記移動部材と一体に移動する取付部材と、
前記取付部材に着脱可能に取付けられた洗浄部材と、
前記ハウジングと別体に設けられており回転駆動力を発生する動力源と、
前記動力源の回転力を前記偏心回転軸に伝達すると共に可撓性を備えたワイヤ状の動力伝達体と、を有し、
前記洗浄部材は被洗浄物に接触させられる洗浄面を有し、前記長穴は前記洗浄面に対して直角方向に長い長穴であり、前記偏心回転軸の回転により前記移動部材が前記ハウジング内で前記洗浄面と平行方向に往復移動し、
前記移動部材が前記長穴によって前記偏心回転軸に懸垂する状態で前記ハウジングと前記取付部材との間に隙間ができる、
ことを特徴とする洗浄装置。
【請求項２】
請求項１記載の洗浄装置において、
前記取付部材と反対側の前記ハウジングの面に把持部材が設けられており、
前記把持部材は、前記ハウジングへ接合した接合部と、該接合部から延びた把持部と、該把持部の先端に設けられており前記把持部の断面の径よりも大きい径を有する大径部とを有し、
前記把持部は作業者の隣接する２つの指で挟むことができる幅を有し、
前記把持部と前記大径部との間は曲面状に広がっている
ことを特徴とする洗浄装置。
【請求項３】
請求項１記載の洗浄装置において、前記取付部材に対向している前記ハウジングの面の一方向の長さをＬ、それに直交する方向の長さをＷ、そして前記ハウジングの高さをＨとするとき、
７０ｍｍ≦Ｌ≦９０ｍｍ、  ５０ｍｍ≦Ｗ≦７０ｍｍ、  ３０ｍｍ≦Ｈ≦５０ｍｍ
である
ことを特徴とする洗浄装置。
【請求項４】
請求項１から請求項３のいずれか１つに記載の洗浄装置において、
前記取付部材は平面視でハウジングよりも面積の広い平板形状を有し、
前記洗浄部材はタオル地によって形成された袋状の部材であり、
該洗浄部材が前記平板形状の取付部材を被覆するように装着される
ことを特徴とする洗浄装置。
【手続補正２】
【補正対象書類名】明細書
【補正対象項目名】００１０
【補正方法】変更
【補正の内容】
【００１０】
本発明に係る洗浄装置は、内部空間を有するハウジングと、前記ハウジングの内部に収容されており回転可能である偏心回転軸と、前記ハウジングの内部に収容されており前記偏心回転軸と嵌り合う長穴を備えた移動部材と、前記ハウジングの外側に設けられており前記移動部材と一体に移動する取付部材と、前記取付部材に着脱可能に取付けられた洗浄部材と、前記ハウジングと別体に設けられており回転駆動力を発生する動力源と、前記動力源の回転力を前記偏心回転軸に伝達すると共に可撓性を備えたワイヤ状の動力伝達体とを有し、前記洗浄部材は被洗浄物に接触させられる洗浄面を有し、前記長穴は前記洗浄面に対して直角方向に長い長穴であり、前記偏心回転軸の回転により前記移動部材が前記ハウジング内で前記洗浄面と平行方向に往復移動し、前記移動部材が前記長穴によって前記偏心回転軸に懸垂する状態で前記ハウジングと前記取付部材との間に隙間ができる、ことを特徴とする。